(57)【要約】【課題】ユニット式紙幣搬送装置の見積書などが簡単に作成可能にする。【解決手段】所要の演算プログラムを記憶してあるＰＣ２０に演算プログラムの変数値として、パチンコ島２００を構成する玉貸し機１、パチンコ機２、玉還元機５、金庫７、妻板８などに係わるデータを入力し、ユニット式紙幣搬送装置１００を構成するユニット化された合流搬送ユニット３、中継搬送ユニット４、橋渡し部材６、合流搬送ユニット３の電動モータ３Ｃを駆動する電装部品・ハーネスなどの最適構成部材を割出し、出力するようにした。また、ユニット式紙幣搬送装置１００を備えたパチンコ島２００が自動描画可能に構成した。【選択図】        図１
2004256213.tif 000002
【特許請求の範囲】
【請求項１】
横並びに配設する複数の遊技機に沿って設ける主搬送路と、遊技機で用いるパチンコ玉などの遊技媒体を紙幣の投入を受けて貸し出すために遊技機に併設される台間機の紙幣排出口に始端が臨み、終端が主搬送路に至る複数の副搬送路とを備え、台間機に投入された紙幣を副搬送路と主搬送路とを介して遊技機の配設方向所要部位まで搬送する紙幣搬送装置が、主搬送路と副搬送路との各合流部に設置されて副搬送路から主搬送路に紙幣を合流搬送する合流搬送ユニット、隣接する合流搬送ユニット同士の間に設置されて紙幣を遊技機の配設方向に搬送する中継搬送ユニットなどから構成されるユニット式紙幣搬送装置の最適構成部材を割出す方法であって、合流搬送ユニット、中継搬送ユニット、主搬送路終端に設置されて紙幣が搬入される金庫などの紙幣搬送装置を構成する個別部材の情報と共に、所要の演算プログラムがメモリ部に記憶されている演算装置等に、演算プログラムの変数値として遊技機、台間機、金庫、玉還元機などの遊技島形成に係わる情報を入力し、メモリ部に予め記憶してある個別部材の情報と、演算プログラムの変数値として入力された情報とを用いて演算プログラムにより演算して合流搬送ユニット、中継搬送ユニット、制御線、電力供給線などの最適構成部材を割出し、出力することを特徴とするユニット式紙幣搬送装置の構成部材割出方法。
【請求項２】
主搬送路を、金庫と、合流搬送ユニットとしては金庫に最も近い１基のみが含まれる主搬送路終端部と、玉還元機近傍に位置し、合流搬送ユニットとしては１基若しくは２基が含まれる主搬送路中央部と、合流搬送ユニットとしては金庫から最も離れた１基のみが含まれる主搬送路開始部と、主搬送路終端部と主搬送路中央部との間に位置してそれぞれに同型の合流搬送ユニットと中継搬送ユニットとが繰り返し配設される主搬送路下流部と、主搬送路中央部と主搬送路開始部との間に位置してそれぞれに同型の合流搬送ユニットと中継搬送ユニットとが繰り返し配設される主搬送路上流部とに便宜上分割し、主搬送路の分割された各部における合流搬送ユニット、中継搬送ユニット、制御線、電力供給線などの最適構成部材を演算プログラムにより演算して割出し、出力することを特徴とする請求項１記載のユニット式紙幣搬送装置の構成部材割出方法。
【請求項３】
最適構成部材の割出しを遊技島毎に可能に演算プログラムが構成されていることを特徴とする請求項１または２記載のユニット式紙幣搬送装置の構成部材割出方法。
【請求項４】
横並びに配設する複数の遊技機に沿って設ける主搬送路と、遊技機で用いるパチンコ玉などの遊技媒体を紙幣の投入を受けて貸し出すために遊技機に併設される台間機の紙幣排出口に始端が臨み、終端が主搬送路に至る複数の副搬送路とを備え、台間機に投入された紙幣を副搬送路と主搬送路とを介して遊技機の配設方向所要部位まで搬送する紙幣搬送装置が、主搬送路と副搬送路との各合流部に設置されて副搬送路から主搬送路に紙幣を合流搬送する合流搬送ユニット、隣接する合流搬送ユニット同士の間に設置されて紙幣を遊技機の配設方向に搬送する中継搬送ユニットなどから構成されるユニット式紙幣搬送装置を設計する方法であって、合流搬送ユニット、中継搬送ユニット、主搬送路終端に設置されて紙幣が搬入される金庫などの紙幣搬送装置を構成する個別部材の情報と共に、所要の演算プログラムがメモリ部に記憶されている演算装置等に、演算プログラムの変数値として遊技機、台間機、金庫、玉還元機などの遊技島形成に係わる情報を入力し、メモリ部に予め記憶してある個別部材の情報と、演算プログラムの変数値として入力された情報とを用いて演算プログラムにより演算して合流搬送ユニット、中継搬送ユニット、制御線、電力供給線などの最適構成部材を割出し、その割出した最適構成部材それぞれの図形をメモリ部に記憶してある情報から読み出して所要位置に配置し、描画することを特徴とするユニット式紙幣搬送装置の設計方法。
【請求項５】
割出した最適構成部材それぞれの図形をメモリ部に記憶してある情報から読み出して所要位置に遊技機、台間機、玉還元機などと共に配置し、描画することを特徴とする請求項４記載のユニット式紙幣搬送装置の設計方法。
【請求項６】
電気配線図の描画が可能に演算プログラムが構成されたことを特徴とする請求項４または５記載のユニット式紙幣搬送装置の設計方法。
【請求項７】
遊技機、台間機、金庫、玉還元機などに係わる情報が記入されたワークシートに基づいて演算プログラムの変数が入力されることを特徴とする請求項１、２、３何れかに記載のユニット式紙幣搬送装置の構成部材割出方法、若しくは請求項４、５、６何れかに記載のユニット式紙幣搬送装置の設計方法。
【請求項８】
遊技島の全長寸法の割出しを可能に演算プログラムが構成されていることを特徴とする請求項１、２、３、７何れかに記載のユニット式紙幣搬送装置の構成部材割出方法、若しくは請求項４、５、６、７何れかに記載のユニット式紙幣搬送装置の設計方法。
【請求項９】
バッチ処理が可能に演算プログラムが構成されたことを特徴とする請求項１、２、３、７、８何れかに記載のユニット式紙幣搬送装置の構成部材割出方法、若しくは請求項４、５、６、７、８何れかに記載のユニット式紙幣搬送装置の設計方法。
【請求項１０】
演算プログラムの変数値として、予め定めた項目の入力がなされないで演算処理命令を受けたときにエラー表示がなされるように演算プログラムが構成されたことを特徴とする請求項１、２、３、７、８、９何れかに記載のユニット式紙幣搬送装置の構成部材割出方法、若しくは請求項４、５、６、７、８、９何れかに記載のユニット式紙幣搬送装置の設計方法。
【請求項１１】
遊技機、台間機、金庫、玉還元機などに係わる情報が、表計算ソフトにより作成されたディスプレー上の入力欄に演算プログラムの変数値として入力されることを特徴とする請求項１、２、３、７、８、９、１０何れかに記載のユニット式紙幣搬送装置の構成部材割出方法、若しくは請求項４、５、６、７、８、９、１０何れかに記載のユニット式紙幣搬送装置の設計方法。
【請求項１２】
ユニット式紙幣搬送装置を作製するための最適構成部材の型式と個数を請求項１、２、３、７、８、９、１０、１１何れかに記載の構成部材割出方法により割出し、その割出した最適構成部材と演算装置等に登録してある構成部材の在庫とを比較して不足構成部材を明らかにし、その不足構成部材を生産部門において生産し、在庫中の所要構成部材と生産部門で生産した不足構成部材とを資材置場に搬入し、工事部門においては前記割出した最適構成部材と資材置場に搬入された構成部材とを照合して前記割出した最適構成部材の全てを準備し、その準備した最適構成部材を遊技島内に配設して作製することを特徴とするユニット式紙幣搬送装置の作製方法。
【発明の詳細な説明】
【０００１】
【発明の属する技術分野】
この発明は、パチンコ機やパチスロ機などの遊技機を横並びに配設して形成する遊技島に組み付けるユニット式紙幣搬送装置の最適構成部材を割出す方法と、ユニット式紙幣搬送装置を設計する方法と、ユニット式紙幣搬送装置を作製する方法とに係わるものである。
【０００２】
【従来の技術】
パチンコ島などの遊技島に組み込まれ、玉貸し機などに投入された紙幣を島端などに設けた金庫などに搬送するユニット式紙幣搬送装置としては、例えば図１１に示したように、各玉貸し機１に投入された紙幣Ｍを取り込むための合流搬送ユニット３と、合流搬送ユニット３同士の間に設置される中継搬送ユニット４とを繰り返し列設して構成されるユニット式紙幣搬送装置１００が周知である（例えば、特許文献１参照。）。
【０００３】
玉貸し機１の背面側に設置される合流搬送ユニット３は、例えば図１２に示したように一対の主搬送用ローラ３Ａと、一対の合流搬送用ローラ３Ｂとを備えて構成され、上流側の中継搬送ユニット４により搬送されてくる紙幣Ｍと、両側に位置する玉貸し機１に投入され、その背面側に排出される紙幣Ｍとの両方の紙幣Ｍを、下流側の中継搬送ユニット４に送り出すことが可能になっている。
【０００４】
そして、合流搬送ユニット３と中継搬送ユニット４とはそれぞれ一体に形成され、且つ、図１３に示したように前後の合流搬送ユニット３に対し、中継搬送ユニット４は上方にワンタッチで離脱でき、また、上方からワンタッチで装着できるように形成することが可能であるので、遊技ホールにおいて簡単に組み立てることができると云ったメリットはあるが、玉貸し機１毎に合流搬送ユニット３が設置されるので、合流搬送ユニット３と中継搬送ユニット４の所要数が膨大なものになると云った問題点がある。
【０００５】
なお、玉貸し機１と交互に列設されてパチンコ島を形成するパチンコ機２は、その歴史的経緯から関東枠と呼ばれている幅が５２０ｍｍのものと、関西枠と呼ばれている幅が５３０ｍｍのものとがあるので、合流搬送ユニット３同士の間に設置する中継搬送ユニット４、合流搬送ユニット３に設けられた電動モータ３Ｃを駆動制御するハーネスなども、狭い関東枠用若しくは広い関西枠用をその都度用意する必要がある。
【０００６】
さらに、パチンコ島としてはパチンコ機２が図１１に示したようにユニット式紙幣搬送装置１００の両側に背中合わせ状態に設置される両島タイプのパチンコ島と、何れか一方の側にのみ設置される片島タイプのパチンコ島とがあり、両島タイプのパチンコ島においては、前後一対のパチンコ機２同士が互いに完全に背中合わせ状態に設置されるときと、左右方向にずれて設置される場合とがある。
【０００７】
したがって、各パチンコ機２の左側（遊技中の遊技客から見て）に設置する玉貸し機１の背面側の図示しない紙幣排出口から排出される紙幣Ｍを受け取り、中継搬送ユニット４まで搬送して合流させる合流搬送ユニット３としては、玉貸し機１の背面側の紙幣排出口から排出される紙幣Ｍを受け取る部分の取付構造の違いだけでも多数となる。
【０００８】
また、ユニット式紙幣搬送装置１００の両側に設置される対向するパチンコ機２同士の間の距離、すなわち島幅は遊技ホールの雰囲気に影響を及ぼす要素であり、設置可能な遊技台の台数に影響を及ぼす要素でもあるので、現在は４８０ｍｍから６００ｍｍまで１０ｍｍ刻みに１３ものパターンがある。
【０００９】
また、パチンコ機２に併設される玉貸し機１の奥行寸法は、メーカにより異なっている（同一サイズのものもある）ので、合流搬送ユニット３においてはアジャスターなどを用いてでも、少なくとも現在ある全ての島幅に対応可能に、すなわち島幅が幾らであっても玉貸し機１から紙幣Ｍを受け取って島端などに設けた金庫まで搬送可能に構成する必要がある。
【００１０】
また、玉貸し機１に投入された紙幣Ｍが真券であると判別してユニット式紙幣搬送装置１００に受け渡す際に、玉貸し機１からユニット式紙幣搬送装置１００に送信する制御信号も様々であるので、ユニット式紙幣搬送装置１００の制御系を玉貸し機１に応じて正しく選択する必要もある。
【００１１】
また、金庫を島端部分の妻板の外側に設置するのか、妻板の内側に設置するのかによっても、紙幣搬送路の長さは相違することになるので、金庫の設置要領によっても、ユニット式紙幣搬送装置１００を構成する部材に相違が生じる。
【００１２】
また、パチンコ機２に幅の狭い関東枠を採用する場合と、幅の広い関西枠を採用する場合とでは遊技島の全長は相違するので、遊技ホールの床が同じ形状・同じ大きさであっても、採用するパチンコ機が相違すると、設置可能なパチンコ機２の個数は相違し、したがって準備する構成部材の個数も相違して製造原価に違いが生じ、顧客に提示する見積金額を変更しなければならないこともある。
【００１３】
さらに、玉貸し機１を図１１に示したようにパチンコ機２それぞれの左側に設置するのか、玉貸し機１は１金種のみを扱うのか、複数金種を扱うものとするのか、金庫には紙幣Ｍを金種毎に分別して回収するのか、一括回収するのかとか、各パチンコ機２で使用したパチンコ玉をそれぞれのパチンコ機２や玉貸し機に戻す玉還元機とその設置位置なども遊技ホール毎に相違するので、ユニット式紙幣搬送装置１００の構成だけでなく、遊技ホール全体の構成を熟知しているベテラン社員がいないと、遊技ホールの仕様が判明しても、顧客に提示するユニット式紙幣搬送装置１００の見積書を作成することができないし、受注に成功したとしても工場に対し必要な部品の発注（生産指令）を行うことができないと共に、必要な図面の作製に時間がかかる、と云った問題点があった。
【００１４】
なお、合流搬送ユニット３には電動モータ３Ｃが設けられ、一対の主搬送用ローラ３Ａと、一対の合流用ローラ３Ｂとを回転させるようになっている。また、電動モータ３Ｃの回転はギヤ３Ｄ、４Ａなどを介して中継搬送ユニット４の側に伝達され、一対の無端搬送ベルト４Ｂを回転させ、紙幣Ｍを挟持して搬送することができるように構成されている。
【００１５】
【特許文献１】
特開平８−９１６１５（図１他）
【００１６】
【発明が解決しようとする課題】
遊技ホールの仕様が提示されると、ベテラン社員が不在であっても、パソコンなどのコンピュータを操作することができる人がおれば、ユニット式紙幣搬送装置を作製するための最適構成部材の割出、設計図の描画、見積書の作成などが簡単にできるようにする必要があった。また、ユニット式紙幣搬送装置が速やかに作製できるようにする必要があり、それらが解決すべき課題となっていた。
【００１７】
【課題を解決するための手段】
上記課題を解決するための本発明は、横並びに配設する複数の遊技機に沿って設ける主搬送路と、遊技機で用いるパチンコ玉などの遊技媒体を紙幣の投入を受けて貸し出すために遊技機に併設される台間機の紙幣排出口に始端が臨み、終端が主搬送路に至る複数の副搬送路とを備え、台間機に投入された紙幣を副搬送路と主搬送路とを介して遊技機の配設方向所要部位まで搬送する紙幣搬送装置が、主搬送路と副搬送路との各合流部に設置されて副搬送路から主搬送路に紙幣を合流搬送する合流搬送ユニット、隣接する合流搬送ユニット同士の間に設置されて紙幣を遊技機の配設方向に搬送する中継搬送ユニットなどから構成されるユニット式紙幣搬送装置の最適構成部材を割出す方法において、合流搬送ユニット、中継搬送ユニット、主搬送路終端に設置されて紙幣が搬入される金庫などの紙幣搬送装置を構成する個別部材の情報と共に、所要の演算プログラムがメモリ部に記憶されている演算装置等に、演算プログラムの変数値として遊技機、台間機、金庫、玉還元機などの遊技島形成に係わる情報を入力し、メモリ部に予め記憶してある個別部材の情報と、演算プログラムの変数値として入力された情報とを用いて演算プログラムにより演算して合流搬送ユニット、中継搬送ユニット、制御線、電力供給線などの最適構成部材を割出し、出力するようにしたユニット式紙幣搬送装置の構成部材割出方法である。
【００１８】
また、前記の構成部材割出方法において、主搬送路を、金庫と、合流搬送ユニットとしては金庫に最も近い１基のみが含まれる主搬送路終端部と、玉還元機近傍に位置し、合流搬送ユニットとしては１基若しくは２基が含まれる主搬送路中央部と、合流搬送ユニットとしては金庫から最も離れた１基のみが含まれる主搬送路開始部と、主搬送路終端部と主搬送路中央部との間に位置してそれぞれに同型の合流搬送ユニットと中継搬送ユニットとが繰り返し配設される主搬送路下流部と、主搬送路中央部と主搬送路開始部との間に位置してそれぞれに同型の合流搬送ユニットと中継搬送ユニットとが繰り返し配設される主搬送路上流部とに便宜上分割し、主搬送路の分割された各部における合流搬送ユニット、中継搬送ユニット、制御線、電力供給線などの最適構成部材を演算プログラムにより演算して割出し、出力するようにした構成部材割出方法である。
【００１９】
また、前記の構成部材割出方法において、最適構成部材の割出しを遊技島毎に可能に演算プログラムを構成するようにした構成部材割出方法である。
【００２０】
また、横並びに配設する複数の遊技機に沿って設ける主搬送路と、遊技機で用いるパチンコ玉などの遊技媒体を紙幣の投入を受けて貸し出すために遊技機に併設される台間機の紙幣排出口に始端が臨み、終端が主搬送路に至る複数の副搬送路とを備え、台間機に投入された紙幣を副搬送路と主搬送路とを介して遊技機の配設方向所要部位まで搬送する紙幣搬送装置が、主搬送路と副搬送路との各合流部に設置されて副搬送路から主搬送路に紙幣を合流搬送する合流搬送ユニット、隣接する合流搬送ユニット同士の間に設置されて紙幣を遊技機の配設方向に搬送する中継搬送ユニットなどから構成されるユニット式紙幣搬送装置を設計する方法において、合流搬送ユニット、中継搬送ユニット、主搬送路終端に設置されて紙幣が搬入される金庫などの紙幣搬送装置を構成する個別部材の情報と共に、所要の演算プログラムがメモリ部に記憶されている演算装置等に、演算プログラムの変数値として遊技機、台間機、金庫、玉還元機などの遊技島形成に係わる情報を入力し、メモリ部に予め記憶してある個別部材の情報と、演算プログラムの変数値として入力された情報とを用いて演算プログラムにより演算して合流搬送ユニット、中継搬送ユニット、制御線、電力供給線などの最適構成部材を割出し、その割出した最適構成部材それぞれの図形をメモリ部に記憶してある情報から読み出して所要位置に配置し、描画することを特徴とするユニット式紙幣搬送装置の設計方法するようにしたユニット式紙幣搬送装置の設計方法である。
【００２１】
また、ユニット式紙幣搬送装置を作製するための最適構成部材の型式と個数を前記構成部材割出方法により割出し、その割出した最適構成部材と演算装置等に登録してある構成部材の在庫とを比較して不足構成部材を明らかにし、その不足構成部材を生産部門において生産し、在庫中の所要構成部材と生産部門で生産した不足構成部材とを資材置場に搬入し、工事部門においては前記割出した最適構成部材と資材置場に搬入された構成部材とを照合して前記割出した最適構成部材の全てを準備し、その準備した最適構成部材を遊技島内に配設して作製するようにしたユニット式紙幣搬送装置の作製方法である。
【００２２】
【発明の実施の形態】
以下、本発明の一実施形態を主に図１〜図１０に基づいて詳細に説明する。なお、理解を容易にするため、これらの図においても前記図１１〜図１３において説明した部分と同様の機能を有する部分には、同一の符号を付した。
【００２３】
先ず、ユニット式紙幣搬送装置１００が設置されるパチンコ島２００の一般的な構成を図１に基づいて説明する。通常、両島タイプのパチンコ島２００は、遊技島を構成すべく背中合わせ（左右の位置ずれは可能）に設置した一対のパチンコ台列の台列中央付近に、図示しない玉研磨機が設置される玉還元機５が設けられ、還元時にパチンコ玉が玉研磨機により研磨されるように構成される。また、玉還元機５は玉研磨機を設けずにパチンコ玉をパチンコ機２や玉貸し機に戻す機構だけの構成でも良い。
【００２４】
また、各パチンコ機２の左側（遊技客から見て）には玉貸し機１が設置され、玉貸し機１に投入された紙幣Ｍが玉貸し機１の図示しない紙幣識別装置により正貨であると認識されると、その背面側に送出してユニット式紙幣搬送装置１００の合流搬送ユニット３に受け渡すことができるように構成される。
【００２５】
また、玉貸し機１と合流搬送ユニット３との間にはスリット状の細い通路を有する橋渡し部材６が配置されて、島幅が大きくても、すなわちユニット式紙幣搬送装置１００と玉貸し機１との間隔が大きくても、玉貸し機１から合流搬送ユニット３への紙幣Ｍの受け渡しに支障が出ないように構成される。
【００２６】
橋渡し部材６は、通常は紙幣Ｍが搬送される方向に伸縮可能に設けられ、一体である程度の範囲の島幅に対応することは可能であるが、片島で２４０〜３００ｍｍの島幅、すなわち６０ｍｍの寸法差に対応するためには、２種類程度の橋渡し部材６は用意しておき、最適な寸法の方を使用する必要がある。
【００２７】
また、図１に示したユニット式紙幣搬送装置１００における紙幣Ｍの搬送機構は、基本的には前記図１１〜図１３に示したユニット式紙幣搬送装置１００における搬送機構と同じであり、中継搬送ユニット４により上流側から搬送されてくる紙幣Ｍと、玉貸し機１から受け取る紙幣Ｍとが何れの合流搬送ユニット３においてもバッティングすることがないように、紙幣Ｍが上流側の中継搬送ユニット４により搬送されてきているときには、その下流側の玉貸し機１に投入された紙幣Ｍはその玉貸し機１において待機し、中継搬送ユニット４から搬送されてきた紙幣Ｍが合流搬送ユニット３を通過するのを待って玉貸し機１からの紙幣Ｍを受け取り、島端に設置された金庫７まで搬送するように制御される。
【００２８】
そして、ユニット式紙幣搬送装置１００を構成するために必要となる合流搬送ユニット３、中継搬送ユニット４、橋渡し部材６、合流搬送ユニット３に搭載された電動モータ３Ｃを制御するための図示しない電装部品、ハーネスの型式（長さ）や数などは、パチンコ島２００の構成、すなわちパチンコ機２がユニット式紙幣搬送装置１００の両側に設置される両島であるのか、一方にのみ設置される片島であるのか、玉貸し機１は何台設置するのか、またその玉貸し機１は全てのパチンコ機２の左側に設置するのか／隔台設置とするのか、パチンコ機２は関東枠を使用するのか／関西枠を使用するのか、玉研磨機を設置する玉還元機５は設けるのか／設けないのか、設けるとすればどの位置に設けるのか、島幅は幾らにするのか、金庫７は妻板８の外側に設置するのか／内側に設置するのか、などと云った遊技ホールの仕様により変化する。
【００２９】
そのため、遊技ホールの改修・開設を考えている顧客に対する聞き取り調査を、例えば図２（Ａ）に示したような記入項目が印刷されたワークシート１１を用いて行い、図２（Ｂ）に示したように空欄を埋め、さらに○印が複数個ある項目では該当する部分の○印にチェックを入れて選択し、顧客が希望しているパチンコ島２００の仕様を把握する。
【００３０】
そして、その記入済のワークシート１１に基づいて、ユニット式紙幣搬送装置１００を作製するための最適ユニット部品の型式とその個数を割出すための演算プログラムを備えたパーソナルコンピュータ（以下パソコンまたはＰＣ）２０に、玉貸し機１、パチンコ機２、玉還元機５、金庫７、妻板８などの設置要領に係わる仕様を、演算プログラムの変数の値として入力する（図２、図３参照）。
【００３１】
すなわち、ＰＣ２０は、入力支援やハードディスク上のファイルを他のユーザと共有するなどのソフト（例えばマイクロソフト社製のアクセス）により作成したワークシート１１と同じ内容の表をディスプレー２１に表示するための所要のプログラムを図示しないメモリ部に備えており、その表の空欄部にキーボード２２、マウス２３などの入力手段を操作して直接入力することが可能に構成されている。また、表中の丸印にポインターを合せてクリックすることで、表示項目を選択することが可能に構成されている。
【００３２】
また、ＰＣ２０の図示しないメモリ部には、ユニット式紙幣搬送装置１００を作製するためのユニット化された部品、すなわち合流搬送ユニット３、中継搬送ユニット４、橋渡し部材６、電動モータ３Ｃを制御するための図示しない電装部品、ハーネスなどの全構成部材の全型式が、例えば図４、図５に示したように仕様、図形などの管理テーブルに記憶されている。
【００３３】
さらに、ＰＣ２０の図示しないメモリ部には、ディスプレー２１上に呼び出したワークシート１１と同じ表の全ての項目が入力され、画面上に設けた図示しない演算指令スイッチがマウス２３などにより操作されると、ＰＣ２０のメモリ部に記憶してあるデータファイルの中から、入力された玉貸し機１の設置仕様に基づいて適合する合流搬送ユニット３を選択し、パチンコ枠の種別（関東枠／関西枠）に基づいて適合する中継搬送ユニット４の型式（長さ）を選択し、玉貸し機１のタイプと島幅寸法に基づいて適合する橋渡し部材６の型式（長さ）を選択し、金庫７の設置位置と妻板８の厚さに基づいて搬送路最終部分に適合する中継搬送ユニット４の型式（長さ）を選択し、選択された合流搬送ユニット３、中継搬送ユニット４などに基づいて適合する電装部品、ハーネスなどの型式（長さ）を選択し、その選択結果に基づいてユニット式紙幣搬送装置１００を作製するために必要となるユニット化された構成部材それぞれの個数を割出し、例えば図６に示したように島毎にテーブル状に出力するための所要の部材割出プログラムを備えている。
【００３４】
なお、この部材割出プログラムは、ユニット式紙幣搬送装置１００を、図７に示したように、金庫７と、金庫７に最も近い合流搬送ユニット３が１基のみ含まれる終端部Ａと、玉還元機５の中央部Ｃと、金庫７から最も離れた合流搬送ユニット３が１基のみ含まれる開始部Ｅと、終端部Ａと中央部Ｃとの間に位置してそれぞれに同型の合流搬送ユニット３と中継搬送ユニット４とが繰り返し配設される下流部Ｂと、中央部Ｃと開始部Ｅとの間に位置してそれぞれに同型の合流搬送ユニット３と中継搬送ユニット４とが繰り返し配設される上流部Ｄとに便宜上分割し、分割された各部において合流搬送ユニット３、中継搬送ユニット４、制御線、電力供給線などの最適構成部材を割出し、その割出した構成部材を部材毎に纏めて出力するように構成することも可能である。
【００３５】
部材割出プログラムを上記のように構成することにより、下流部Ｂと上流部Ｄとは、それぞれに同型の合流搬送ユニット３と中継搬送ユニット４とが繰り返し配設さる部分であるので、この部分は単なる乗除算により合流搬送ユニット３と中継搬送ユニット４の個数は求められる。
【００３６】
また、終端部Ａにおける合流搬送ユニット３の型式は、パチンコ島２００が両島であるのか／片島であるのかと、金庫７の設置仕様が決まれば簡単に求められる。また、中央部Ｃにおける合流搬送ユニット３の型式も、パチンコ島２００が両島であるのか／片島であるのかと、玉還元機５の長さが決まれば簡単に求められる。また、開始部Ｅにおける合流搬送ユニット３の型式も、パチンコ島２００が両島であるのか／片島であるのかが決まれば簡単に求められる。
【００３７】
したがって、ユニット式紙幣搬送装置１００を図７に示したように終端部Ａと、下流部Ｂと、中央部Ｃと、上流部Ｄと、開始部Ｅとに便宜上分割することにより、ユニット式紙幣搬送装置１００を作製するための最適構成部材を演算算出する演算式が簡単になり、また、ＰＣ２０においては並列演算が可能となるので、ＰＣ２０の演算負荷は減少し、演算速度が速くなると云った利点がある。
【００３８】
また、ＰＣ２０の図示しないメモリ部には、前記部材割出プログラムにより割出された部材の図形を、ＰＣ２０のメモリ部に記憶したデータファイルから読み出し、それをディスプレー２１の上に順次配設して、例えば図８に示したようにユニット式紙幣搬送装置１００を備えたパチンコ島２００を自動的に描画するための自動描画プログラムも記憶されている。そして、この自動描画プログラムにより作成する図面には、ユニット式紙幣搬送装置１００のシステム配線図とユニット化された部品名も所望により記載可能となっている。また、パチンコ島２００と、このパチンコ島２００に対応したシステム配置図および各部品名の記載された部品表が同一図面上に記載されるため、ユニット式紙幣搬送装置１００の設置時などの作業性が向上する。
【００３９】
したがって、記入済みワークシート１１が得られると、そのワークシート１１に基づいて所要のデータをＰＣ２０に入力し、演算を指示するだけで、ユニット式紙幣搬送装置１００を作製するためのユニット化された部品リストが自動的に求められ、しかも、パチンコ島２００とそのユニット式紙幣搬送装置１００を自動的に描画することができるので、ベテラン社員が不在であっても、ユニット式紙幣搬送装置１００の見積書の提出、部品の生産発注などが可能となる。
【００４０】
本発明によってユニット式紙幣搬送装置１００の構成部材を割出し、設計図を描画する作業手順の一例を例えば図９に示したフローに基づいて説明する。
【００４１】
先ず、ＰＣ２０を起動し（ステップＳ１）、ディスプレー２１にパチンコ島２００の仕様を入力するための入力画面を表示させる（ステップＳ２）。そして、ワークシート１１を見ながら、キーボード２２、マウス２３などの入力手段を用いて所用の情報を入力し（ステップＳ３）、演算を指示する（ステップＳ４）。
【００４２】
ＰＣ２０は、必要な情報の全てがエラーなしで入力されて演算が指示されたときには（ステップＳ５のＹ）、メモリ部に記憶してある構成部材のデータと部材割出プログラムとを読み出して演算し、ユニット式紙幣搬送装置１００の最適構成部材を割出し、ディスプレー２１に表示する（ステップＳ６）。
【００４３】
しかし、必要な情報の全てが入力されることなく演算が指示されたときには（ステップＳ５のＮ）、ＰＣ２０はディスプレー２１に入力エラーを表示し（ステップＳ７）、入力画面の表示に戻り（ステップＳ２）、パチンコ島２００の仕様が再入力できるようになる。
【００４４】
割出部材を表示する画面は、例えば作図またはファイル出力の何れか一方のみが選択できるように構成しておき、作図が選択されたときには（ステップＳ８のＹ）、メモリ部に記憶してある自動描画プログラムによりディスプレー２１上でユニット式紙幣搬送装置１００を、例えば図８に示したように玉貸し機１、パチンコ機２などと共に、すなわちパチンコ島２００として作図し、表示する（ステップＳ９）。
【００４５】
そして、作図後に出力指示がなされたときには（ステップＳ１０）、ユニット式紙幣搬送装置１００の割出した最適構成部材と、ディスプレー２１上で作図した図面とをプリントアウトする（ステップＳ１１）。また、ＰＣ２０において、あるいは他のパソコンなどに送信出力してデータ加工し、顧客に提出するための見積書などを作成することも可能である。
【００４６】
なお、作図が選択されずに出力指示がなされたときには（ステップＳ８のＮ）、ユニット式紙幣搬送装置１００の割出した最適構成部材だけをプリントアウトしたり、他のＰＣ２０に送信出力などする（ステップＳ１１）。
【００４７】
次に、ユニット式紙幣搬送装置１００を作製する際のフローの一例を、図１０に基づいて説明する。
Ｓ２１：店舗Ｈ１から発注部門Ｈ２に紙幣搬送ユニットの注文が入る。
Ｓ２２：発注部門Ｈ２は、店舗の状況に応じた紙幣搬送ユニットの設置形態をコンピュータＨ３に入力する。
Ｓ２３：コンピュータＨ３は電算自動処理を行い、所要の構成部材リスト＋図面Ｈ４を作成する。
Ｓ２４：作成された構成部材リスト＋図面Ｈ４は営業管理部門Ｈ５により打ち出される。
Ｓ２５：営業管理部門Ｈ５は、構成部材リスト＋図面Ｈ４を生産部門Ｈ６に送り、日程確認をする。
Ｓ２６：生産部門Ｈ６は、構成部材リスト＋図面Ｈ４に基づいた構成部材の生産日数を営業管理部門Ｈ５に返答する。
Ｓ２７：営業管理部門Ｈ５は、構成部材リストに掲載された部材の点数、日数などを基に、見積りを作成し、見積りと構成部材リスト＋図面Ｈ４とを発注部門Ｈ２も送る。
Ｓ２８：発注部門Ｈ２が、構成部材リスト＋図面Ｈ４と、見積りとを承認したことを、営業管理部門Ｈ５に伝える。
Ｓ２９：営業管理部門Ｈ５は、生産部門Ｈ６に生産依頼する。
Ｓ３０：生産部門Ｈ６で生産された構成部材を出荷部門Ｈ７に送る。
Ｓ３１：出荷部門Ｈ７は、営業管理部門Ｈ５に出荷確認する。
Ｓ３２：営業管理部門Ｈ５は、出荷部門Ｈ７に出荷承認する。
Ｓ３３：出荷部門Ｈ７に送られた構成部材と、構成部材リスト＋図面Ｈ４とを設置部門Ｈ８に送る。
Ｓ３４：設置部門Ｈ８は、送られてきた構成部材を構成部材リスト＋図面Ｈ４に基づいて店舗に設置し、ユニット式紙幣搬送装置１００を完成させる。
【００４８】
なお、本発明は上記実施形態に限定されるものではないので、特許請求の範囲に記載の趣旨から逸脱しない範囲で各種の変形実施が可能である。
【００４９】
例えば、記入済みワークシート１１は、顧客のパソコンからユニット式紙幣搬送装置１００を作製するメーカの適宜のパソコンに添付メールなどの形態で送信し、その送信されたワークシート１１の内容を紙幣搬送装置メーカ側の適宜のパソコンにおいて確認し、記入内容に問題がなければそれを前記プログラムを備えたＰＣ２０に転送（再入力を含む）して前記図６に示した部品リスト、図８に示した図面などを作成し、それを顧客のパソコンに送信可能に構成することも可能である。
【００５０】
また、顧客のパソコンから紙幣搬送装置メーカの前記プログラムを備えたＰＣ２０にインターネットなどを経由したアクセスが可能に構成し、ＰＣ２０から顧客のパソコンにダウンロードしたソフト上で遊技島に係わる情報を直接入力し、図６に示した部品リスト、図８に示した図面などが顧客先で速やかに入手できるように構成することも可能である。
【００５１】
なお、上記のような構成とするときには、顧客のパソコンから紙幣搬送装置メーカのＰＣ２０にアクセスする際に、ＰＣ２０側から認承番号を要求し、紙幣搬送装置メーカから予め交付してある正規の認証番号の提示があったパソコンだけがＰＣ２０にログイン可能な構成にしておくことが好ましい。
【００５２】
また、ユニット式紙幣搬送装置１００のユニット化された最適構成部材を割出し、自動描画するためのＰＣ２０による演算は、バッチ処理が可能に構成して従業員が退社した後に行うようにし、従業員の勤務中はＰＣ２０の能力の１００％が従業員が行う他の業務に使用されるように構成することも可能である。
【００５３】
【発明の効果】
この発明によれば、紙幣搬送装置や遊技ホールに関する知識が豊富なベテラン社員の不在中であっても、パソコンの操作方法を覚えた人がいれば、ユニット式紙幣搬送装置の見積書を作成することができ、また、工場に対する部品製造の発注を行うこともできる。そのため、ベテラン社員は構成がより複雑な紙幣搬送装置の見積りや、設計に専念することができるので、業務効率が改善される。
【００５４】
また、ユニット式紙幣搬送装置の主搬送路を主搬送路開始部と主搬送路上流部と主搬送路中央部と主搬送路下流部と主搬送路終端部とに便宜上分割し、それぞれにおける合流搬送ユニット、中継搬送ユニット、制御線、電力供給線などの最適構成部材を演算プログラムにより演算割出して出力するようにした発明においては、最適構成部材を割出すための演算式が簡単になり、また、コンピュータによる並列演算が可能となるので、コンピュータの演算負荷は減少し、演算速度が速くなると云った利点がある。
【００５５】
また、最適構成部材の割出しを遊技島毎に可能に演算プログラムを構成した発明においては、割出した最適構成部材のチェックが容易に行えると云った利点がある。また、遊技島毎に必要な数だけ最適構成部材をユニット式紙幣搬送装置作製現場に搬入することができるので、作製現場で構成部材が不足することがないし、作製現場に過剰に搬入して作製現場が乱雑になると云ったこともない。
【００５６】
また、割出した最適構成部材それぞれの図形をメモリ部に記憶してある情報から読み出して所要位置に配置し描画する発明においては、図面の描画が速やかに行えると共に、描画される図面は既知の図形を組み合わせたものであるので、図面の理解がし易いと云った利点がある。
【００５７】
また、割出した最適構成部材それぞれの図形をメモリ部に記憶してある情報から読み出して所要位置に遊技機、台間機、玉還元機などと共に配置し描画する発明においては、遊技機、台間機、玉還元機などとの位置関係が容易に理解できるので、ユニット式紙幣搬送装置作製時に戸惑うことがない。
【００５８】
また、遊技島毎の島構成に対応した電気配線図の描画が可能に演算プログラムを構成した発明においては、合流搬送ユニット、中継搬送ユニットなどと電気配線との位置関係が容易に理解できるので、電気配線を行う際に戸惑うことがない。
【００５９】
ワークシートに基づいて演算プログラムの変数を入力する発明においては、遊技島やユニット式紙幣搬送装置に関する知識の豊富なベテラン社員が不在であっても、コンピュータの操作ができる人がおれば、ユニット式紙幣搬送装置の最適構成部材を割出して見積書などを作成することができると云った利点がる。
【００６０】
また、遊技島の全長寸法の割出しが可能に演算プログラムを構成した発明においては、遊技島毎の全長が分かるので、遊技ホールの全体像を容易に把握することができると云った利点がある。
【００６１】
また、バッチ処理が可能に演算プログラムを構成した発明においては、コンピュータに対する入力だけを従業員の勤務時間内に行い、ユニット化された最適構成部材のコンピュータによる割出しと自動描画は従業員が退社した後に行うようにして、従業員の勤務中はコンピュータの能力の１００％を従業員が行う他の業務に使用して業務の効率化を図ることができる。
【００６２】
また、予め定めた項目の入力がない状態で演算処理命令を受けたときにはエラー表示を行うように演算プログラムを構成した発明においては、常に正しい結論が得られると云った利点がある。
【００６３】
また、遊技機、台間機、金庫、玉還元機などに係わる情報を、入力支援やハードディスク上のファイルを他のユーザと共有するなどのソフトにより作成したディスプレー上の入力欄に演算プログラムの変数値として入力する発明においては、ディスプレー上の入力欄に入力される数値と演算プログラムの変数値とをリンクさせることで、演算プログラムの変数値を入力してユニット化された最適構成部材のコンピュータによる割出しと自動描画が容易に行える。
【００６４】
また、最適構成部材の型式と個数を割出し、その割出した最適構成部材とコンピュータに登録してある構成部材の在庫とを比較して不足構成部材を明らかにし、不足構成部材は生産部門において生産し、在庫中の所要構成部材と生産部門で生産した不足構成部材とを搬入し、割出した最適構成部材と資材置場に搬入した構成部材とを照合して割出した最適構成部材の全てを準備し、その準備した最適構成部材を遊技島内に配設してユニット式紙幣搬送装置を作製する発明においては、遊技島やユニット式紙幣搬送装置に関する知識の豊富なベテラン社員が不在であっても、コンピュータの操作ができる人がおりさえすれば、ユニット式紙幣搬送装置を作製するための最適構成部材の準備が速やかに行えるので、ユニット式紙幣搬送装置自体の作製も速やかに行えると云った利点がある。
【図面の簡単な説明】
【図１】パチンコ島の説明図であり、（Ａ）は側面、（Ｂ）は（Ａ）図におけるイ−イ断面を示す説明図である。
【図２】本発明で使用するワークシートの一例を示す説明図であり、（Ａ）は未記入状態、（Ｂ）は記入済状態を示す説明図である。
【図３】本発明で使用するパソコンの一例を示す説明図である。
【図４】メモリ部に記憶しておく構成部材の仕様の一例を示す説明図である。
【図５】メモリ部に記憶しておく構成部材の図形の一例を示す説明図である。
【図６】割出した部品リストの一例を示す説明図である。
【図７】ユニット式紙幣搬送装置の構成部材を割出す手順の一例を示す説明図である。
【図８】描画したパチンコ島の一例を示す説明図である。
【図９】ユニット式紙幣搬送装置の構成部材を割出し、設計図を描画する手順の一例を示す説明図である。
【図１０】ユニット式紙幣搬送装置作製のための手順の一例を示す説明図である。
【図１１】パチンコ島に設けられたユニット式紙幣搬送装置の一例を示す説明図である。
【図１２】合流搬送ユニットの構造の一例を示す説明図である。
【図１３】合流搬送ユニットと中継搬送ユニットとの係合要領を示す説明図である。
【符号の説明】
１  玉貸し機
２  パチンコ機
３  合流搬送ユニット
３Ａ  主搬送用ローラ
３Ｂ  合流搬送用ローラ
３Ｃ  電動モータ
３Ｄ  ギヤ
４  中継搬送ユニット
４Ａ  ギヤ
４Ｂ  無端搬送ベルト
５  玉還元機
６  橋渡し部材
７  金庫
８  妻板
１１  ワークシート
２０  パーソナルコンピュータ（ＰＣ）
２１  ディスプレー
２２  キーボード
２３  マウス
１００  ユニット式紙幣搬送装置
２００  パチンコ島
Ａ  終端部
Ｂ  下流部
Ｃ  中流部
Ｄ  上流部
Ｅ  開始部
【図１】
2004256213.tif 000003
【図２】
2004256213.tif 000004
【図３】
2004256213.tif 000005
【図４】
2004256213.tif 000006
【図５】
2004256213.tif 000007
【図６】
2004256213.tif 000008
【図７】
2004256213.tif 000009
【図８】
2004256213.tif 000010
【図９】
2004256213.tif 000011
【図１０】
2004256213.tif 000012
【図１１】
2004256213.tif 000013
【図１２】
2004256213.tif 000014
【図１３】
2004256213.tif 000015